(57)【要約】【課題】  ダスト混在物に内在するダストを、容易かつ短時間で取り去る。【解決手段】  ダスト混在物（布団４）を内部に収納して密封可能な袋１と、前記ダスト混在物（布団４）と共に前記袋１の内部に収納され、前記袋１外部に延びる管を有し、前記管の延びた前記袋１外部から前記袋１内部の空気を吸引圧着プレスして前記ダスト混在物（布団４）に内在するダストを吸引する吸引具５を備えた、布団類および衣類毛皮のダスト除去し清潔維持する事で、アトピー性皮膚炎・花粉・埃・ダニアレルギーを軽減した。【選択図】  図１
2006239380.tif 000002
【特許請求の範囲】
【請求項１】
ダスト混在物を内部に収納して密封可能な気密性のある袋と、前記ダスト混在物と共に前記袋の内部に収納し、前記袋内部の空気を吸引して圧縮と圧着プレスすることによって前記ダスト混在物に内在するダストを吸引する吸引具と乾燥機とアロマ芳香器具等を、備えたことを特徴とするダスト吸引圧着プレス装置。
【請求項２】
前記吸引具は、前記袋に収納される際の前記ダスト混在物の表面サイズを一回り小さくした面を有し、該面の全体から吸引力を発揮するように、前記面に多数の孔を有する面状部材であることを特徴とする  請求項１に記載のダスト吸引圧着プレス装置。
【請求項３】
前記吸引具は、前記管を含む台座と、移動式として室内及び屋外での利用が可能な様に車輪を有することを特徴とする  請求項１又は  請求項２に記載のダスト吸引圧着プレス装置。
【請求項４】
移動用車両搭載し台車に装備されるダスト吸引圧着プレス装置で、吸引時の動力源を車両備え付けの電源あるいは訪問先の電源から取り入れることを特徴とする  請求項１又は 請求項２に記載のダスト吸引圧着プレス装置。
【請求項５】
前記袋は、自動あるいは手動で選定の任意の圧力による吸引圧力調整を可能とする空調バルブ弁を取り付け、吸引作動中に空調バルブ弁に消臭・芳香・消毒等の・カートリッジを装着できる構造を特徴とし、圧縮した袋からだし使用時に発生する香りによるアロマテラピー効果を発揮させると共に清潔感を増幅させる特徴を有するダスト吸引圧着プレス装置。
【発明の詳細な説明】
【技術分野】
【０００１】  本発明は、布団（寝具）や毛皮類（コート・敷物）など（以下、総称して「ダスト混在物」という）から塵や埃、花粉、微生物など（以下、総称して「ダスト」という）を吸引するダスト吸引圧着プレス装置及びその方法に関するものである。
【背景技術】
【０００２】  従来、フトンや毛皮コートなどのダスト混在物は、掃除機などで外表面を清掃したり、洗濯などのクリーニングを施したりして、清潔に保つことが行われている。外表面を清掃する器具としては既存の布団乾燥機の他、特許文献１に開示されたものがある。【特許文献１】特開平１１−０１９０２４号公報
【発明の開示】
【発明が解決しようとする課題】
【０００３】  しかしながら、ダスト混在物の外表面を従来の掃除機や布団乾燥機等による清掃だけでは、ダスト混在物に内在する塵や埃、花粉、ダニ等のダストを取り除くことはできなかった。【０００４】  そこで、クリーニング業者に依頼する事となる、通常、洗濯などのクリーニングには乾燥させるなどの工程が有るので、数日かかる、時間と費用が多大にかかってしまう。【０００５】  以上の課題を考慮し、本発明は、ダスト混在物に内在するダストを、容易かつ短時間で取り去る事を目的とする。
【課題を解決するための手段】
【０００６】  第１の発明は、ダスト混在物を内部に収納して密封する袋と、前記ダスト混在物と共に前記袋内部に収容される、前記袋外部に延びる管を有し、前記管の延びた前記袋外部から前記袋内部の空気を吸引して前記ダスト混在物に内在するダストを除去する吸引具を備えたことを特徴とするダスト吸引圧着プレス装置である。【０００７】  第２の発明は、前記吸引具は、前記袋に収納される際の前記ダスト混在物の表面サイズを一回り小さくした面を有し、該面の全体から吸引力を発揮するように、前記面に多数の孔を有する面状部材であることを特徴とする第１の発明に記載のダスト吸引圧着プレス装置である。【０００８】  第３の発明は、前記吸引具は、前記管を含む台座と、前記台座を移動可能とする車輪を有することを特徴とする第１、第２の発明に記載のダスト吸引圧着プレス装置である。【０００９】  第４の発明は、移動式として室内及び屋外での利用が可能な様に、移動用車両あるいは台車に装備されるダスト吸引装置で、吸引時の動力源を車両備え付けの電源あるいは訪問先の電源から取り入れることを特徴とする第１、第２の発明に記載のダスト吸引圧着プレス装置である。【００１０】  第５の発明は、前記袋は、自動あるいは手動で選定の任意の圧力による吸引圧力調整を可能とする空調弁を有することを特徴とする第１から第４の発明のいずれかに記載のダスト吸引圧着プレス装置である。【００１１】  第６の発明は、前記袋内部でダスト吸引時に前記ダスト混在物の消臭・芳香を行う消臭・芳香具を有することを特徴とする第１から第５の発明のいずれかに記載のダスト吸引圧着プレス装置である。【００１２】  第７の発明は、ダスト吸引と共に、前記袋外部から前記袋内部へ乾燥空気を送出して前記ダスト混在物内へ空気を送り込むことを特徴とする第１から第６の発明のいずれかに記載のダスト吸引圧着プレス装置である。【００１３】  第８の発明は、ダスト吸引の繰り返す合間に、前記管の延びた前記袋外部から前記袋内部へ乾燥空気を送出して前記ダスト混在物内へ空気を送り込むことを特徴とする第７の発明に記載のダスト吸引圧着プレス装置である。【００１４】  第９の発明は、ダスト混在物を吸引具と共に気密性の袋に収納し、前記吸引具で前記袋内部の空気を吸引して前記ダスト混在物を圧縮することによって前記ダスト混在物に内在するダストを吸引することを特徴とするダスト吸引圧着プレス方法である。【００１５】  第１０の発明は、ダスト吸引時に同時に前記ダスト混在物の消臭・芳香を行うことを特徴とする第９の発明に記載のダスト吸引圧着プレス方法である。【００１６】  第１１の発明は、ダスト吸引と共に、前記袋内部へ乾燥空気を送出することを特徴とする第９又は第１０の発明に記載のダスト吸引圧着プレス方法である。【００１７】  第１２の発明は、ダスト吸引を繰り返す合間に、前記吸引具で前記袋内部へ乾燥空気を送出して前記ダスト混在物を膨張させることを特徴とする第１１の発明に記載のダスト吸引圧着プレス方法である。【００１８】  本発明では、ダスト混在物を吸引具と共に気密性の袋に収納し、吸引具から吸引を行う事によって、袋内部の空気を吸引してダスト混在物を圧縮する。この圧縮される過程において、ダスト���在物は内在するダストを外へ放出するので、このダストを吸引具で吸引することによって、ダスト混在物に内在するダストを取り去ることができる。
【発明の効果】
【００１９】  本発明は、ダスト混在物に内在するダストを、容易かつ短時間で取り去ることができる。
【発明を実施するための最良の形態】
【００２０】  （実施の形態）  図１〜図４を参照して、第１の実施の形態について説明する。本実施の形態では、ダスト混在物として布団を例に挙げ、布団に内在する塵や埃、花粉などのダストを吸引する。【００２１】  図１〜図３において、１は密封可能な気密性のある２枚の四角い面状物を張り合わせた袋である。袋１は三方が開放されるように広げることができるもので、図１、図２が袋１を広げた状態であり、図３が袋１をとじて密封した状態である。この袋１には開放される３辺（三方）に密封チャック２が取り付けてあり、密封チャック２を閉じることで密封した袋１ができるようになっている。また、袋１には後述する吸引具５の管７を通す開口通路３が形成されている。【００２２】  ４はダスト混在物である布団である。本実施の形態では、布団４は、図２に示すように２つ折りにされて袋１に収納されるものである。【００２３】  ５は外部の吸引装置である掃除機などに接続されて実際に吸引を行う吸引具である。吸引具５は折畳まれた布団４の表面サイズを一回り小さくした面を有し、該面の全体から吸引力を発揮するように、前記面に多数の孔６を有する。孔６は本実施の形態では両面に形成されているものであるが、片面のみに形成され、ダスト吸引を裏表で２回繰り返すようにしてもよい。この吸引具５には管７が袋１の外部にまで引き出されており、孔６と管７が疎通するようになっている。管７に掃除機などが接続されて吸引力が吸引具５まで伝達される。【００２４】  以上の構成の本実施の形態では、まず、図１に示すように、広げた袋１に布団４を重ね、布団４が２つ折りされる半面部分にさらに吸引具５を重ねる。【００２５】  次に、図２に示すように、吸引具５を覆うように布団４を２つ折りに折畳む。【００２６】  次に、袋１の密封チャック２を閉め、かつ、吸引具５の管７を開口通路３に通し、図３に示すように、密封された袋１を完成させる。【００２７】  そして、管７に掃除機などを接続し、吸引を行う。吸引によって、図４（ａ）に示すように、吸引具５の孔６から袋１内部の空気が吸い込まれていく。これにより、図４（ａ）の図示矢印のように袋１内部の空気の減少と共に布団４を圧縮していく｛図４（ｂ）が布団４の圧縮された状態である。この布団４を圧縮する過程において、布団４は内在するダストを外へ出す（布団４に内在するダストを圧着吸引しているともいえる）ので、この布団４の内在ダストを吸引具５で吸引することによって、布団４に内在するダストを取り去ることができる。このように、単純に布団４を圧縮するだけであるので、容易な作業となり、また、水に濡らして乾燥させることも無く時間も短くて済む。【００２８】  以上説明したように、布団４を吸引具５と共に気密性の袋１に収納し、吸引具５で袋１内部の空気を吸引して布団４を圧縮することによって布団４に内在するダストを吸引する方法が本発明である。【００２９】  また、８は、空調弁である。空調弁８は、自動あるいは手動で選定の任意の圧力による吸引圧力調整を可能とすることで、装置の破損防止を行っている。【００３０】  加えて、ダストの吸引は、複数回繰り返すと、よりダスト除去の効果を発揮できる。ここで、ダスト吸引の繰り返す合間に、袋１外部から布団乾燥機などの乾燥空気送出装置によって袋１内部へ乾燥空気を送出して布団４内へ空気を送り込むと、布団４のダスト吸引を向上するだけでなく、布団４の乾燥、ひいては温風殺菌が行え、より衛生的となる。【００３１】  すなわち、布団４を圧縮してダスト吸引をするだけでなく、ダスト吸引を複数回繰り返し、さらにはダスト吸引を繰り返す合間に、吸引具５で袋１内部へ乾燥空気を送出して布団４を膨張させることも本発明である。【００３２】  さらに、ダスト吸引時に同時に布団４の消臭・芳香を行うことでもよい。例えば、空調弁８に消臭剤や芳香剤を内包する消臭・芳香具を付属するようにして、空気の流れと共に消臭や香り付けを行うようにしても良い。【００３３】  なお、本実施の形態では、布団をダスト混在物の例として挙げたが、毛皮コートなどであってもよく、その毛皮コートなどをダスト吸引する装置や方法は上記実施の形態と形状が異なるだけである。ただし、袖や首回りの部分は、空気漏れを少なくする為、袖口はクリップ又は輪ゴムで、首周りは枠に設けた人型の首・肩周り部分の形状に密着させることで容易に対応できる。【００３４】  また、本実施の形態の装置は、専用の機器・装置で機能させる他、既存の家庭用あるいは業務用乾燥機にて布団・衣類の乾燥と内在するダストを浮遊させ、その浮遊ダストを既存の家庭用あるいは業務用掃除機にて吸引と集塵を効率的に実施することもできる。【００３５】  すなわち、本発明を実施するために新規に必要となる仕組みは、効率的に布団・衣類の内部側からダストを浮遊させるとともに乾燥させる為の空気噴出し孔を有する吸引具と袋を用途に合わせて必要なだけ用意すれば良いものである。【００３６】  使用する機器・装置の組み合わせは、既存及び新規の機器・装置を自由に組み合わせる事ができる自由性を有しており、設備費用の点から選択することができる。【００３７】  例えば、専用の吸引装置による吸引と、既存の家庭用あるいは業務用の布団乾燥機との併用、あるいはその逆の組み合わせ等、利用者の選択により組み合わせて使用することができると共に、布団あるいは乾燥・除塵したい衣類の状態に合わせ各々単独に運転することが可能である。【００３８】  しかも、いずれの場合においても、乾燥・浮遊側の送風量と吸引側の吸引風量の均衡を保つ場合と吸引側の吸引風量が勝る場合の両場面における風量を管理・調整できる圧力計及び圧力調整弁を有するようにしてもよい。そしてまた、家庭用や小さな処理能力の機器・装置の場合、運転用タイマーの活用等の工夫によって省略することも可能である。【００３９】  図５（ａ）は、移動可能な装置であって、台車１５の車輪により移動可能である。図５（ａ）は布団４をかけられる形状にした吸引具５と開可能な袋１を示している。図５（ｂ）は布団４をかけた状態である。図５（ｂ）は袋１を密封した使用状態である。【００４０】  本発明の利用により、ホテル、旅館等宿泊施設での寝具類等の衛生基準を上昇させる為、利用者に与える衛生的安心感を高めることができる。【００４１】  本発明の利用により、福祉施設等での寝具類の衛生基準を上昇させる為、老人福祉施設利用者及びその関係者に与える衛生的安心感を高め、同施設内における感��症の発生を抑制する事を実現できる。
【図面の簡単な説明】
【図１】実施の形態に係るダスト吸引装置開閉を示す図
【図２】実施の形態に係るダスト吸引装置開閉布団をたたんだ状態を示す図
【図３】実施の形態に係るダスト吸引装置布団を収納した状態を示す図
【図４】（ａ）実施の形態で吸引準備の状態を示す断面図
【図４】（ｂ）実施の形態で吸引圧着プレスの状態を示す断面図
【図５】（ａ）移動可能な装置で実施の形態に係るダスト吸引装置を示す図
【図５】（ｂ）移動可能な装置で布団を収納し実施の形態に係るダスト吸引装置を示す図
【符号の説明】
１  袋（密封可能な機密性のある袋２  密封用チャック３  開口通路（通気管通路開口部）４  布団５  吸引具６  孔（通気孔）７  管（吸気機能管）８  空調とカートリッジ装着兼用バルブ弁（消臭・芳香・消毒カートリッジ）９  移動用車輪（タイヤ）１０  掃除機（吸引装置）１１  乾燥機（布団乾燥機等）１２  開閉蓋１３  管（排気機能管）
【図１】
2006239380.tif 000003
【図２】
2006239380.tif 000004
【図３】
2006239380.tif 000005
【図４】
2006239380.tif 000006
【図５】
2006239380.tif 000007